(57)【特許請求の範囲】
【請求項１】
それぞれ固有の装置番号が割り当てられ、前記装置番号を含む装置間フレームを利用して通信を行う複数のネットワーク構成装置と、これらのネットワーク構成装置を接続する伝送路とを含むネットワークと；
ＩＰフレームを伝送するＩＰ回線を通して前記複数のネットワーク構成装置のうちの代表のネットワーク構成装置にプロキシエージェントを介することなく直接に接続され、前記ＩＰフレームに含まれるＩＰアドレスによって監視対象のネットワーク構成装置を特定して管理情報を収集する監視装置とを備え；
前記代表のネットワーク構成装置は、自装置も前記監視装置の監視対象下にあって、
前記複数のネットワーク構成装置に固有に割り当てられている前記装置番号と、前記監視装置が前記監視対象のネットワーク構成装置を特定するために利用する前記ＩＰアドレスとの相互変換結果を前記装置間フレーム及び前記ＩＰフレームにそれぞれ反映して前記管理情報の収集を可能にする第１の処理手段を有する；
ネットワーク管理システム。
【請求項２】
前記代表のネットワーク構成装置は、
前記第１の処理手段による参照のために、前記複数のネットワーク構成装置に固有に割り当てられている前記装置番号と、前記監視装置が前記監視対象のネットワーク構成装置を特定するために利用する前記ＩＰアドレスとを関連付けて保持する第１の保持手段を更に有する；
請求項１記載のネットワーク管理システム。
【請求項３】
前記装置間フレームは前記装置番号として送信元及び送信先の装置番号を含み、前記ＩＰフレームは前記ＩＰアドレスとして送信元及び送信先のＩＰアドレスを含み、
前記第１の処理手段は、前記装置間フレーム及び前記ＩＰフレームのデータ部のデータを相互に複写する
請求項１記載のネットワーク管理システム。
【請求項４】
前記代表のネットワーク構成装置は、
前記監視装置が利用するＳＮＭＰメッセージと、前記監視対象のネットワーク構成装置がサポートするメッセージとの相互変換結果を前記装置間フレーム及び前記ＩＰフレームにそれぞれ反映して前記管理情報の収集を可能にする第２の処理手段を更に有する；
請求項１記載のネットワーク管理システム。
【請求項５】
前記代表のネットワーク構成装置は、
前記第２の処理手段による参照のために、前記監視装置が利用する前記ＳＮＭＰメッセージを特定するための情報と、前記監視対象のネットワーク構成装置がサポートする前記メッセージを特定するための情報とを関連付けて保持する第２の保持手段を更に有する；
請求項４記載のネットワーク管理システム。
【発明の詳細な説明】
【０００１】
【発明の属する技術分野】
本発明は、複数のネットワーク構成装置とこれらの装置を接続する伝送路とを含むネットワーク（管理対象システム）と、このネットワークを監視して管理情報を収集する監視装置（管理ステーション）とから構成されるネットワーク管理システムに関する。
【０００２】
【従来の技術】
従来、ネットワーク構成装置としての複数の伝送装置とこれらの伝送装置を接続する伝送路とを含むネットワークと、このネットワークを監視して障害情報及び装置状態情報などの管理情報を収集する監視装置とから構成されるネットワーク管理システムが種々存在する。
【０００３】
例えば、第１のネットワーク管理システムにおいては、監視装置と代表の伝送装置とをＨＤＬＣ（High-level Data Link Control）などのプロトコルに則って接続し、監視装置はこのプロトコルによって通信先を指定する番号と管理対象（監視対象）の伝送装置を特定するための装置番号とを対応付けることにより、管理情報を収集している。
【０００４】
また、第２のネットワーク管理システムにおいては、監視装置とネットワークを構成する全ての伝送装置との間でＩＰ（Internet Protocol）通信が可能なようにＩＰプロトコルに則って接続し、監視装置が管理対象の特定の伝送装置をＩＰアドレスに基づいて識別することにより、管理情報を収集している。
【０００５】
さらに、第３のネットワーク管理システムにおいては、プロトコルＳＮＭＰ（Simple Network Management Protocol）に則ってＩＰアドレスを持たない複数の非ＳＮＭＰの伝送装置を監視するために、プロキシエージェント（代理エージェント）を配置している。
【０００６】
【発明が解決しようとする課題】
しかし、第１のネットワーク管理システムにおいては、ＨＤＬＣなどのプロトコルでは通信速度が遅く、管理情報として大量データの収集が必要な場合、時間がかかることを免れない。また、ＩＰ通信環境はＬＡＮ（Local Area Network）の普及に伴い非常に低価格となり、監視装置は通常パーソナルコンピータまたはワークステーションから構成されるが、監視装置にＨＤＬＣなどの通信環境を適用することはコストアップを避けられない。
【０００７】
第２のネットワーク管理システムにおいては、監視装置と全ての伝送装置とをＩＰ通信可能に接続する場合、伝送路とは別の監視専用のＩＰ回線によって監視装置と全伝送装置とを接続する構成を採るが、監視専用ＩＰ回線を必要とするためコストアップとなる。また、伝送路の一部の帯域を監視用ＩＰ通信に使用する構成を採ることも可能であるが、この構成では、全伝送装置が伝送路の一部の帯域を使用したＩＰ通信機能（伝送路が複数存在する伝送装置では、ルーティングを含む中継・分岐機能）をサポートする必要があり、特に既設の伝送装置に適用する場合にはコストアップとなる。
【０００８】
第３のネットワーク管理システムにおいては、プロキシエージェント（代理エージェント）を新たに配置して伝送装置の監視を行うので、コストアップを免れない。
【０００９】
本発明の課題は、コストの増大を招くことなく、管理情報の高速な収集を可能にするネットワーク管理システムを提供することにある。
【００１０】
本発明の他の課題は、既存の設備に大幅な変更を施すことなく、管理情報の高速な収集を可能にするネットワーク管理システムを提供することにある。
【００１１】
本発明の別の課題は、プロキシエージェントのような新たに配置する装置を必要とすることなく、管理情報の高速な収集を可能にするネットワーク管理システムを提供することにある。
【００１２】
【課題を解決するための手段】
上記課題を解決するために、本発明のネットワーク管理システムは、それぞれ固有の装置番号が割り当てられ、前記装置番号を含む装置間フレームを利用して通信を行う複数のネットワーク構成装置と、これらのネットワーク構成装置を接続する伝送路とを含むネットワークと；
ＩＰフレームを伝送するＩＰ回線を通して前記複数のネットワーク構成装置のうちの代表のネットワーク構成装置に接続され、前記ＩＰフレームに含まれるＩＰアドレスによって監視対象のネットワーク構成装置を特定して管理情報を収集する監視装置とを備え；
前記代表のネットワーク構成装置は、
前記複数のネットワーク構成装置に固有に割り当てられている前記装置番号と、前記監視装置が前記監視対象のネットワーク構成装置を特定するために利用する前記ＩＰアドレスとの相互変換結果を前記装置間フレーム及び前記ＩＰフレームにそれぞれ反映して前記管理情報の収集を可能にする第１の処理手段を有する。
【００１３】
この構成において、前記代表のネットワーク構成装置は、前記第１の処理手段による参照のために、前記複数のネットワーク構成装置に固有に割り当てられている前記装置番号と、前記監視装置が前記監視対象のネットワーク構成装置を特定するために利用する前記ＩＰアドレスとを関連付けて保持する第１の保持手段を更に有する。
【００１４】
また、前記装置間フレームは前記装置番号として送信元及び送信先の装置番号を含み、前記ＩＰフレームは前記ＩＰアドレスとして送信元及び送信先のＩＰアドレスを含み、
前記第１の処理手段は、前記装置間フレーム及び前記ＩＰフレームのデータ部のデータを相互に複写する。
【００１５】
また、前記代表のネットワーク構成装置は、前記監視装置が利用するＳＮＭＰメッセージと、前記監視対象のネットワーク構成装置がサポートするメッセージとの相互変換結果を前記装置間フレーム及び前記ＩＰフレームにそれぞれ反映して前記管理情報の収集を可能にする第２の処理手段を更に有する。
【００１６】
さらに、前記代表のネットワーク構成装置は、前記第２の処理手段による参照のために、前記監視装置が利用する前記ＳＮＭＰメッセージを特定するための情報と、前記監視対象のネットワーク構成装置がサポートする前記メッセージを特定するための情報とを関連付けて保持する第２の保持手段を更に有する。
【００１７】
【発明の実施の形態】
次に、本発明の実施の形態について図面を参照して説明する。
【００１８】
〔第１の実施の形態〕
本発明の第１の実施の形態におけるネットワーク管理システムについて、図１、図２、図３、及び図４を参照して説明する。
【００１９】
ネットワーク管理システム１は、ネットワーク構成装置としての複数の伝送装置（＃１〜＃５）２とこれらの伝送装置２を接続する伝送路３とを含むネットワーク（管理対象システム）４と、このネットワーク４をＩＰネットワークの回線（以下、単にＩＰ回線と記載することもある）５を通して監視して障害情報及び装置状態情報などの管理情報を収集する監視装置（管理ステーション）６とから構成されている。
【００２０】
ネットワーク４を構成する伝送装置２のそれぞれは、具体的には光多重化装置などであり、図示省略の複数の端末装置を収容している。ここでは、伝送装置（＃１）２から伝送装置（＃５）２は、伝送路３を介して図４に示すような接続形態を採っているが、縦続接続またはリング型（ループ状）接続など他の接続形態を採ることも可能である。
【００２１】
伝送装置（＃１）２は監視装置６に対してネットワーク４の代表の伝送装置である。代表の伝送装置２にＩＰ回線５を通して接続されている監視装置６は、パーソナルコンピータまたはワークステーションで構成可能である。
【００２２】
この代表の伝送装置２は、分岐機能部３０及びフレーム変換機能部（アドレス変換機能部）３１を有する処理部２０と、アドレス管理テーブル２１と、装置内監視部２２と、伝送路３及びＩＰ回線５に接続するための各インタフェース部（図示省略）とを備える。
【００２３】
代表の伝送装置２に伝送路３を通して直接または間接的に接続される他の伝送装置（＃２〜＃５）２は、既存の伝送装置と構成の差異はなく、分岐機能部３０を有する処理部２０と、装置内監視部２２と、伝送路３に接続するためのインタフェース部とを備えているが、これらの構成要素の図示を省略している。
【００２４】
各伝送装置（＃１〜＃５）２において、処理部２０の分岐機能部３０は自装置の装置内監視部２２を監視装置６に接続するか、他装置の装置内監視部２２を監視装置６に接続するかに応じて、装置内の経路切り替えを行う。また、各伝送装置２において、装置内監視部２２は管理情報として自装置内の障害情報または自装置の状態情報を収集して、監視装置６に通知する。
【００２５】
代表の伝送装置２において、処理部２０のフレーム変換機能部３１は、ＩＰフレーム４０と伝送装置間フレーム５０とのフレーム相互変換、厳密にはＩＰアドレスと装置番号とのアドレス相互変換を行う。
【００２６】
フレーム変換機能部３１は、処理部２０との協働により、監視装置６からＩＰ回線５を通して受信したＩＰフレーム４０を伝送装置間フレーム５０に変換して、伝送路３に送信する。
【００２７】
このために、フレーム変換機能部３１は、受信したＩＰフレーム４０のＩＰヘッダ部内の「送信元ＩＰアドレス」に代替して、自伝送装置の装置番号を伝送装置間フレーム５０の「送信元装置番号」に設定する。
【００２８】
フレーム変換機能部３１は、受信したＩＰフレーム４０のＩＰヘッダ部内の「送信先ＩＰアドレス」に対応する伝送装置の装置番号をＩＰアドレスと装置番号とを関連付けて予め登録してあるアドレス関連テーブル２１から獲得する（図２、図３参照）。
【００２９】
フレーム変換機能部３１は、アドレス管理テーブル２１から獲得した伝送装置の装置番号を伝送装置間フレーム５０の「送信先装置番号」に設定する。
【００３０】
さらに、フレーム変換機能部３１は、ＩＰフレーム４０内のＩＰデータ部を伝送装置間フレーム５０のデータ部に格納（複写）し、変換した伝送装置間フレーム５０を伝送路３に送信するとともに、自装置の装置内監視部２２に送出する。
【００３１】
一方、フレーム変換機能部３１は、処理部２０との協働により、他の伝送装置（＃２〜＃５）２から送信された伝送装置間フレーム５０または自装置の装置内監視部２２から受信した伝送装置間フレーム５０をＩＰフレーム４０に変換して、ＩＰ回線５を通して監視装置６に送信する。
【００３２】
このために、フレーム変換機能部３１は、受信した伝送装置間フレーム５０の「送信元装置番号」及び「送信先装置番号」に対応するＩＰアドレスをＩＰアドレスと伝送装置の装置番号とを関連付けて予め登録してあるアドレス関連テーブル２１から獲得する。
【００３３】
フレーム変換機能部３１は、ＩＰフレーム４０の「送信元ＩＰアドレス」にアドレス管理テーブル２１から獲得した「送信元装置番号」に対応するＩＰアドレスを設定し、伝送装置間フレーム５０内のデータ部をＩＰフレーム４０のＩＰデータ部に格納（複写）する。
【００３４】
さらに、フレーム変換機能部３１は、ＩＰフレーム４０の「送信先ＩＰアドレス」には、図示省略の記憶部に予め登録されている監視装置６のＩＰアドレスを設定するか、または監視装置６からのＩＰフレーム４０受信時に記憶部に保存されている監視装置６のＩＰアドレスを設定し、かつＩＰフレーム４０のＩＰヘッダ部にその他のＩＰヘッダ情報を付加し、この変換したＩＰフレーム４０をＩＰ回線５を通して監視装置６に送信する。
【００３５】
次に、上述した第１の実施の形態のネットワーク管理システム１における具体的な動作例を説明する。ここでは、監視装置６から装置番号：０２の伝送装置（＃２）２を監視して、管理情報を収集する場合について説明する。
【００３６】
監視装置６には、ネットワーク４を構成する全ての伝送装置（＃１〜＃５）２のＩＰアドレスを予め登録し、かつＩＰ回線５経由で監視装置６が接続された代表の伝送装置（＃１）２には、ネットワーク４を構成する全ての伝送装置（＃１〜＃５）２のＩＰアドレスとこれに対応する装置番号とを予め登録するとともに、監視装置６のＩＰアドレスを予め登録しておく。
【００３７】
監視装置６から伝送装置（＃２）２に向けて送信されたＩＰフレーム４０は、ＩＰ回線５を通して監視装置６に接続されている代表の伝送装置（＃１）２の処理部２０にて受信される。
【００３８】
ここでは、送信されたＩＰフレーム４０のＩＰヘッダ部には、送信元ＩＰアドレスとして監視装置６のＩＰアドレス：１０．１１．１２３．１００と、送信先ＩＰアドレスとして伝送装置（＃２）２のＩＰアドレス：１０．１１．１２３．２とが含まれている。
【００３９】
フレーム変換機能部３１は、受信したＩＰフレーム４０を伝送装置間フレーム５０に変換するために、次の処理Ｓ１１〜Ｓ１３を行う。
【００４０】
Ｓ１１：アドレス関連テーブル２１から送信先ＩＰアドレス：１０．１１．１２３．２に対応する装置番号：０２を獲得し、伝送装置間フレーム５０の「送信先装置番号」に設定する。
【００４１】
Ｓ１２：ＩＰフレーム４０のＩＰデータ部のデータを伝送装置間フレーム５０のデータ部に複写する。
【００４２】
Ｓ１３：伝送装置間フレーム５０の「送信元装置番号」に自装置の装置番号：０１を設定する。これにより、処理部２０はアドレス変換された伝送装置間フレーム５０を伝送路３に送信する。
【００４３】
伝送装置（＃１）２のフレーム変換機能部３１によってアドレス変換され、処理部２０によって伝送路３へ送信された伝送装置間フレーム５０は、送信先装置番号が「０２」であるため、伝送装置（＃２）２で受信される。
【００４４】
伝送装置（＃２）２では、処理部２０が受信データを処理した後、応答として、送信元装置番号：０２、送信先装置番号：０１、及びデータ：応答データ（管理情報）を含む伝送装置間フレーム５０を伝送路３へ送信する。
【００４５】
伝送装置（＃２）２から応答として伝送路３へ送信された伝送装置間フレーム５０は、送信先装置番号が「０１」であるため、伝送装置（＃１）２の処理部２０にて受信される。
【００４６】
伝送装置（＃１）２のフレーム変換機能部３１は、受信した伝送装置間フレーム５０をＩＰフレーム４０に変換するために、次の処理Ｓ２１〜Ｓ２４を行う。
【００４７】
Ｓ２１：アドレス関連テーブル２１から送信元装置番号：０２に対応するＩＰアドレス：１０．１１．１２３．２を獲得し、ＩＰフレーム４０の「送信元ＩＰアドレス」に設定する。
【００４８】
Ｓ２２：伝送装置間フレーム５０のデータ部の管理情報としてのデータをＩＰフレーム４０のＩＰデータ部に複写する。
【００４９】
Ｓ２３：記憶部に予め登録されている監視装置６のＩＰアドレス：１０．１１．１２３．１００をＩＰフレーム４０の「送信先ＩＰアドレス」に設定する。
【００５０】
Ｓ２４：ＩＰフレーム４０の「送信元ＩＰアドレス」及び「送信先ＩＰアドレス」以外のＩＰヘッダ部には、バージョン及び識別子などの情報は予め定められている値を設定し、パケット長及びヘッダチェックサムなどの情報は計算結果を設定する。これにより、処理部２０はアドレス変換されたＩＰフレーム４０をＩＰ回線５に送信する。
【００５１】
代表の伝送装置２からＩＰ回線５に送信されたＩＰフレーム４０は、送信先ＩＰアドレスが「１０．１１．１２３．１００」であるため監視装置６にて受信される。監視装置６は、送信元ＩＰアドレスが「１０．１１．１２３．２」であることに基づいて、伝送装置（＃２）２からの管理情報としてのデータであることを認識する。
【００５２】
なお、データリンク層にイーサネットまたはＩＥＥＥ８０２．３を適用し、その上位プロトコルとしてＩＰを使用する形態がよくあるが、この場合、ＭＡＣ（物理）アドレスとＩＰアドレスとの対応をとるために、プロトコルＡＲＰ（Address Resolution Protocol）を使用する。上述した第１の実施の形態のネットワーク管理システム１においては、監視装置６が接続され、かつＩＰ回線５を収容している代表の伝送装置２で、監視装置６からのＡＲＰに対し、アドレス関連テーブル２１に登録されている自装置を含む全伝送装置２のＩＰアドレスのいづれかに該当した場合、代表の伝送装置２のＭＡＣアドレスを返送することで問題なく通信が行える。
【００５３】
〔第２の実施の形態〕
本発明の第２の実施の形態におけるネットワーク管理システムについて、図５、図６、図７、及び図８を参照して説明する。
【００５４】
第２の実施の形態のネットワーク管理システム１は、ネットワーク構成装置としての複数の伝送装置（＃１〜＃５）２とこれらの伝送装置２を接続する伝送路３とを含むネットワーク（管理対象システム）４と、このネットワーク４をＩＰネットワークの回線（ＩＰ回線）５を通して監視して障害情報及び装置状態情報などの管理情報を収集する監視装置（管理ステーション）６とから構成されている。
【００５５】
伝送装置（＃１）２は監視装置６に対してネットワーク４の代表の伝送装置である。この代表の伝送装置２は、分岐機能部３０と、フレーム変換機能部（アドレス変換機能部）３１と、メッセージ変換機能部（ＳＮＭＰリクエスト変換機能部）３２とを有する処理部２０と、アドレス管理テーブル２１と、装置内監視部２２と、伝送路３及びＩＰ回線５に接続するための各インタフェース部（図示省略）とを備える。
【００５６】
代表の伝送装置２に伝送路３を通して直接または間接的に接続される他の伝送装置（＃２〜＃５）２は、既存の伝送装置と構成の差異はなく、分岐機能部３０を有する処理部２０と、装置内監視部２２と、伝送路３に接続するためのインタフェース部とを備えているが、これらの構成要素の図示を省略している。
【００５７】
各伝送装置（＃１〜＃５）２において、処理部２０の分岐機能部３０は自装置の装置内監視部２２を監視装置６に接続するか、他装置の装置内監視部２２を監視装置６に接続するかに応じて、装置内の経路切り替えを行う。また、各伝送装置２において、装置内監視部２２は管理情報として自装置内の障害情報または自装置の状態情報を収集して、監視装置６に通知する。
【００５８】
代表の伝送装置２において、処理部２０のフレーム変換機能部３１は、ＩＰフレーム４０と伝送装置間フレーム５０とのフレーム相互変換、厳密にはＩＰアドレスと装置番号とのアドレス相互変換を行う。
【００５９】
処理部２０のメッセージ変換機能部３２は、ＩＰフレーム４０と伝送装置間フレーム５０とのデータ部の相互変換、厳密にはメッセージ相互変換を行う。
【００６０】
つまり、メッセージ変換機能部３２は、処理部２０との協働により、監視装置６からＩＰ回線５を通して受信したＩＰフレーム４０のＩＰデータ部のＳＮＭＰメッセージＭＳＧ１を各伝送装置２がサポートしているメッセージ（伝送装置メッセージ）ＭＳＧ２に変換し、この伝送装置メッセージＭＳＧ２を伝送装置間フレーム５０のデータ部に格納して、伝送路３に送信する。
【００６１】
また、メッセージ変換機能部３２は、他の伝送装置（＃２〜＃５）２から受信した伝送装置間フレーム５０内のデータ部の伝送装置メッセージＭＳＧ２をＳＮＭＰメッセージＭＳＧ１に変換し、ＩＰフレーム４０のＩＰデータ部内に格納して、ＩＰ回線５に送信する。
【００６２】
この時、メッセージ変換機能部３２は、ＩＰフレーム４０のＩＰデータ部にトランスポート層のヘッダ（ここでは、ＵＤＰ（User Datagram Protocol）ヘッダ）も設定する。これは、アプリケーション層のＳＮＭＰは、通常トランスポート層としてＵＤＰを用いるためである。
【００６３】
なお、第２の実施の形態のネットワーク管理システム１において、説明を省略した他の構成は、上述した第１の実施の形態のネットワーク管理システム１と同一である。
【００６４】
次に、上述した第２の実施の形態のネットワーク管理システム１における具体的な動作例を説明する。ここでは、ＳＮＭＰのＩＰフレーム４０を送受信するマネージャとしての監視装置６から１つのエージェントとしての装置番号：０２の伝送装置（＃２）２を監視して、管理情報を収集する場合について説明する。
【００６５】
監視装置６には、ネットワーク４を構成する全ての伝送装置（＃１〜＃５）２のＩＰアドレスを予め登録し、かつＩＰ回線５経由で監視装置６が接続された代表の伝送装置（＃１）２には、ネットワーク４を構成する全ての伝送装置（＃１〜＃５）２のＩＰアドレスとこれに対応する装置番号とを予め登録するとともに、監視装置６のＩＰアドレスを予め登録しておく。
【００６６】
代表の伝送装置２には、オブジェクト識別子（ＩＤ）と各伝送装置２内のコマンドコードとを関連付けるオブジェクト変換テーブル２３を設けておく。
【００６７】
監視装置６から伝送装置（＃２）２に向けて送信されたＩＰフレーム４０は、ＩＰ回線５を通して監視装置６に接続されている代表の伝送装置（＃１）２の処理部２０にて受信される。
【００６８】
ここでは、送信されたＩＰフレーム４０のＩＰヘッダ部には、送信元ＩＰアドレスとして監視装置６のＩＰアドレス：１０．１１．１２３．１００と、送信先ＩＰアドレスとして伝送装置（＃２）２のＩＰアドレス：１０．１１．１２３．２とが含まれている。
【００６９】
フレーム変換機能部３１及びメッセージ変換機能部３２は、受信したＩＰフレーム４０を伝送装置間フレーム５０に変換するために、次の処理Ｓ３１〜Ｓ３３を行う。
【００７０】
Ｓ３１：フレーム変換機能部３１はアドレス関連テーブル２１から送信先ＩＰアドレス：１０．１１．１２３．２に対応する装置番号：０２を獲得し、伝送装置間フレーム５０の「送信先装置番号」に設定する。
【００７１】
Ｓ３２：メッセージ変換機能部３２はオブジェクト関連テーブル２３からＩＰフレーム４０のＩＰデータ部のＳＮＭＰ要求ＰＤＵ（Protocol Data Unit）内のオブジェクトＩＤ：１．３．６．１．２．１．１．３（オブジェクト名称：ｓｙｓＵｐＴｉｍｅ）に対応するコマンドコード：０ｘ０Ａ０３（コマンド名称：稼働時間獲得）を獲得し、伝送装置（＃２）２内のコマンドデータ体系（データ長、タイムスタンプ、要求種別（コマンドなど３種類）、要求ＩＤ（コマンドコードなど））に変換した後、伝送装置間フレーム５０のデータ部に設定する。
【００７２】
Ｓ３３：フレーム変換機能部３１は伝送装置間フレーム５０の「送信元装置番号」に自装置の装置番号：０１を設定する。これにより、処理部２０はアドレス変換及びメッセージ変換された伝送装置間フレーム５０を伝送路３に送信する。
【００７３】
伝送装置（＃１）２のフレーム変換機能部３１及びメッセージ変換機能部３２によってアドレス変換及びメッセージ変換され、処理部２０によって伝送路３へ送信された伝送装置間フレーム５０は、送信先装置番号が「０２」であるため、伝送装置（＃２）２で受信される。
【００７４】
伝送装置（＃２）２では、処理部２０が受信データを処理した後、応答として、送信元装置番号：０２、送信先装置番号：０１、及びデータ：応答データ（管理情報）を含む伝送装置間フレーム５０を伝送路３へ送信する。
【００７５】
伝送装置（＃２）２から応答として伝送路３へ送信された伝送装置間フレーム５０は、送信先装置番号が「０１」であるため、伝送装置（＃１）２の処理部２０にて受信される。
【００７６】
伝送装置（＃１）２のフレーム変換機能部３１及びメッセージ変換機能部３２は、受信した伝送装置間フレーム５０をＩＰフレーム４０に変換するために、次の処理Ｓ４１〜Ｓ４５を行う。
【００７７】
Ｓ４１：メッセージ変換機能部３２は、オブジェクト関連テーブル２３から伝送装置間フレーム５０のデータ部内のコマンドコード：０ｘ０Ａ０３に対応するオブジェクトＩＤ：１．３．６．１．２．１．１．３を獲得して、ＩＰフレーム４０のＩＰデータ部のＳＮＭＰ要求ＰＤＵ内の「オブジェクト識別子」にオブジェクトＩＤを設定し、更に応答結果のデータ（管理情報としての稼働時間）及びオブジェクト識別子以外の情報は予め定められている値をＩＰデータ部に設定する。
【００７８】
Ｓ４２：メッセージ変換機能部３２は、ＩＰフレーム４０のＩＰデータ部のＵＤＰヘッダ内の「送信元ポート番号」に「００  Ａ１」、「送信先ポート番号」に「０７  Ｄ０」、「セグメント長」に「００  ３３」、及び「チェックサム」に「００  ００」をそれぞれ設定する。
【００７９】
Ｓ４３：フレーム変換機能部３１は、アドレス関連テーブル２１から送信元装置番号：０２に対応するＩＰアドレス：１０．１１．１２３．２を獲得し、ＩＰフレーム４０の「送信元ＩＰアドレス」に設定する。
【００８０】
Ｓ４４：フレーム変換機能部３１は、記憶部に予め登録されている監視装置６のＩＰアドレス：１０．１１．１２３．１００をＩＰフレーム４０の「送信先ＩＰアドレス」に設定する。
【００８１】
Ｓ４５：フレーム変換機能部３１は、ＩＰフレーム４０の「送信元ＩＰアドレス」及び「送信先ＩＰアドレス」以外のＩＰヘッダ部には、バージョン及び識別子などの情報は予め定められている値を設定し、パケット長及びヘッダチェックサムなどの情報は計算結果を設定する。これにより、処理部２０はアドレス変換及びメッセージ変換されたＩＰフレーム４０をＩＰ回線５に送信する。
【００８２】
代表の伝送装置２からＩＰ回線５に送信されたＩＰフレーム４０は、送信先アドレスが「１０．１１．１２３．１００」であるため監視装置６にて受信される。監視装置６は、送信元ＩＰアドレスが「１０．１１．１２３．２」であることに基づいて、伝送装置（＃２）２からの管理情報としてのデータであることを認識する。
【００８３】
なお、ＩＰフレーム４０のＩＰデータ部のＳＮＭＰ要求ＰＤＵは、他の情報として、バージョン、コミュニティストリング、ＰＤＵタイプ（情報要求など５種類）、要求ＩＤ、エラー状態、及びエラーインデックスを含んでいる。
【００８４】
〔変形例〕
上述した一実施の形態における処理はコンピュータで実行可能なプログラムとして提供され、ＣＤ−ＲＯＭやフロッピーディスクなどの記録媒体、さらには通信回線を経て提供可能である。
【００８５】
また、上述した各実施の形態における各処理はその任意の複数または全てを選択し組合せて実施することもできる。
【００８６】
〔その他〕
（付記１）  それぞれ固有の装置番号が割り当てられ、前記装置番号を含む装置間フレームを利用して通信を行う複数のネットワーク構成装置と、これらのネットワーク構成装置を接続する伝送路とを含むネットワークと；
ＩＰフレームを伝送するＩＰ回線を通して前記複数のネットワーク構成装置のうちの代表のネットワーク構成装置に接続され、前記ＩＰフレームに含まれるＩＰアドレスによって監視対象のネットワーク構成装置を特定して管理情報を収集する監視装置とを備え；
前記代表のネットワーク構成装置は、
前記複数のネットワーク構成装置に固有に割り当てられている前記装置番号と、前記監視装置が前記監視対象のネットワーク構成装置を特定するために利用する前記ＩＰアドレスとの相互変換結果を前記装置間フレーム及び前記ＩＰフレームにそれぞれ反映して前記管理情報の収集を可能にする第１の処理手段を有する；
ネットワーク管理システム。
【００８７】
（付記２）  前記代表のネットワーク構成装置は、
前記第１の処理手段による参照のために、前記複数のネットワーク構成装置に固有に割り当てられている前記装置番号と、前記監視装置が前記監視対象のネットワーク構成装置を特定するために利用する前記ＩＰアドレスとを関連付けて保持する第１の保持手段を更に有する；
付記１記載のネットワーク管理システム。
【００８８】
（付記３）  前記装置間フレームは前記装置番号として送信元及び送信先の装置番号を含み、前記ＩＰフレームは前記ＩＰアドレスとして送信元及び送信先のＩＰアドレスを含み、
前記第１の処理手段は、前記装置間フレーム及び前記ＩＰフレームのデータ部のデータを相互に複写する
付記１記載のネットワーク管理システム。
【００８９】
（付記４）  前記管理情報は前記監視対象のネットワーク構成装置の障害情報及び状態情報を含んでいる
付記１記載のネットワーク管理システム。
【００９０】
（付記５）  前記代表のネットワーク構成装置は、
前記監視装置が利用するＳＮＭＰメッセージと、前記監視対象のネットワーク構成装置がサポートするメッセージとの相互変換結果を前記装置間フレーム及び前記ＩＰフレームにそれぞれ反映して前記管理情報の収集を可能にする第２の処理手段を更に有する；
付記１記載のネットワーク管理システム。
【００９１】
（付記６）  前記代表のネットワーク構成装置は、
前記第２の処理手段による参照のために、前記監視装置が利用する前記ＳＮＭＰメッセージを特定するための情報と、前記監視対象のネットワーク構成装置がサポートする前記メッセージを特定するための情報とを関連付けて保持する第２の保持手段を更に有する；
付記５記載のネットワーク管理システム。
【００９２】
【発明の効果】
以上説明したように、本発明によれば、ネットワークを構成する複数のネットワーク構成装置のうちの代表のネットワーク構成装置と監視装置との間の通信をＩＰ化することにより、低価格で高速な管理情報の収集を行うことができる。
【００９３】
特に、基本的にはＩＰアドレスを持たないネットワーク構成装置、例えば既設の装置などの監視ＩＰ化においては、監視装置が接続された代表のネットワーク構成装置のみにフレーム変換（アドレス変換）機能を追加すればよく、低価格にて実現が可能である。
【００９４】
また、本発明によれば、監視装置がＳＮＭＰを利用することにより、ＩＰアドレスを持たないネットワーク構成装置であっても、外部にプロキシエージェントのような専用装置を設置することなく、かつ監視装置が接続された代表のネットワーク構成装置のみにメッセージ変換機能を追加すればよく、低価格にてＳＮＭＰによる統合監視が可能となる。
【図面の簡単な説明】
【図１】  本発明の第１の実施の形態のシステム構成を示すブロック図。
【図２】  アドレス関連テーブルの詳細構成を示す図。
【図３】  フレーム変換（アドレス変換）を説明するための図。
【図４】  第１の実施の形態のシステムの具体的動作例を説明するための図。
【図５】  本発明の第２の実施の形態のシステム構成を示すブロック図。
【図６】  メッセージ変換を説明するための図。
【図７】  第２の実施の形態のシステムの具体的動作例を説明するための図。
【図８】  第２の実施の形態のシステムの具体的動作例を説明するための図。
【符号の説明】
１    ネットワーク管理システム
２    伝送装置
３    伝送路
４    ネットワーク
５    ＩＰネットワークの回線（ＩＰ回線）
６    監視装置
２０    処理部
２１    アドレス関連テーブル
２２    装置内監視部
２３    オブジェクト変換テーブル
３０    分岐機能部
３１    フレーム変換機能部
３２    メッセージ変換機能部
４０    ＩＰフレーム
５０    伝送装置間フレーム
【図１】
0003866994.tif 000002
【図２】
0003866994.tif 000003
【図３】
0003866994.tif 000004
【図４】
0003866994.tif 000005
【図５】
0003866994.tif 000006
【図６】
0003866994.tif 000007
【図７】
0003866994.tif 000008
【図８】
0003866994.tif 000009